Podtech/llm-jp-corpus-v4-ja_patent huggingface dataset:
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
組成式Ｌｉx1Ｎｉa1Ｍｎb1Ｃｏc1Ｏ2（０.２≦ｘ１≦１.２，０.６≦ａ１≦０.９，０.０５≦ｂ１≦０.３，０.０５≦ｃ１≦０.３，ａ１＋ｂ１＋ｃ１＝１.０）で表される第一の正極活物質と、
組成式Ｌｉx2Ｎｉa2Ｍｎb2Ｃｏc2ＭdＯ2（０.２≦ｘ２≦１.２，０.７≦ａ２≦０.９，０.０５≦ｂ２≦０.３，０.０５≦ｃ２≦０.３，Ｍ＝Ｍｏ，Ｗ、０≦ｄ≦０.０６，ａ２＋ｂ２＋ｃ２＋ｄ＝１.０）で表される第二の正極活物質と、
を含むことを特徴とするリチウムイオン二次電池用正極材料。
【請求項２】
請求項１において、
前記第一の正極活物質の平均二次粒径が、前記第二の正極活物質の平均二次粒径より大きいことを特徴とするリチウムイオン二次電池用正極材料。
【請求項３】
請求項１において、
前記第一の正極活物質のＮｉの含有量が、前記第二の正極活物質のＮｉの含有量以下であることを特徴とするリチウムイオン二次電池用正極材料。
【請求項４】
請求項１において、
前記正極材料中に含まれる第一の正極活物質の混合比を、質量百分率で３０〜７０％とすることを特徴とするリチウムイオン二次電池用正極材料。
【請求項５】
請求項１において、
前記第一の正極活物質のＮｉ含有量ａ１が０.７≦ａ１≦０.８であり、前記第二の正極活物質のＮｉ含有量ａ２が０.７５≦ａ２≦０.８であることを特徴とするリチウムイオン電池用正極材料。
【請求項６】
リチウムを吸蔵放出可能な正極とリチウムを吸蔵放出可能な負極が非水電解質およびセパレータを介して形成されるリチウムイオン二次電池において、
前記正極が、請求項１記載のリチウムイオン二次電池用正極材料を有することを特徴とするリチウムイオン二次電池。
【手続補正２】
【補正対象書類名】明細書
【補正対象項目名】００１６
【補正方法】削除
【補正の内容】
【手続補正３】
【補正対象書類名】明細書
【補正対象項目名】００２７
【補正方法】削除
【補正の内容】
【手続補正４】
【補正対象書類名】明細書
【補正対象項目名】００８９
【補正方法】変更
【補正の内容】
【００８９】
実施例１１では、作製した正極活物質１−２と２−１０を質量比で４０：６０になるように混合して正極活物質として用いた以外は、実施例１と同様の方法で試作電池を作製し、充放電試験およびＤＳＣ測定を行った。
【手続補正５】
【補正対象書類名】明細書
【補正対象項目名】００９３
【補正方法】変更
【補正の内容】
【００９３】
実施例１５では、作製した正極活物質１−１と２−１２を質量比で４０：６０になるように混合して正極活物質として用いた以外は、実施例１と同様の方法で試作電池を作製し、充放電試験およびＤＳＣ測定を行った。
【手続補正６】
【補正対象書類名】明細書
【補正対象項目名】００９９
【補正方法】変更
【補正の内容】
【００９９】
〔比較例６〕
比較例６では、作製した正極活物質１−４と２−１０を質量比で４０：６０になるように混合して正極活物質として用いた以外は、実施例１と同様の方法で試作電池を作製し、充放電試験およびＤＳＣ測定を行った。
【手続補正７】
【補正対象書類名】明細書
【補正対象項目名】０１００
【補正方法】変更
【補正の内容】
【０１００】
〔比較例７〕
比較例７では、作製した正極活物質１−２と２−１１を質量比で４０：６０になるように混合して正極活物質として用いた以外は、実施例１と同様の方法で試作電池を作製し、充放電試験およびＤＳＣ測定を行った。
【手続補正８】
【補正対象書類名】明細書
【補正対象項目名】０１０３
【補正方法】変更
【補正の内容】
【０１０３】
〔比較例１０〕
比較例１０では、作製した正極活物質１−１と２−１３を質量比で４０：６０になるように混合して正極活物質として用いた以外は、実施例１と同様の方法で試作電池を作製し、充放電試験およびＤＳＣ測定を行った。
【手続補正９】
【補正対象書類名】明細書
【補正対象項目名】０１２０
【補正方法】変更
【補正の内容】
【０１２０】
一方、比較例２，３，８，９では、比較例１と比べ、容量増加および発熱量低減を両立することはできなかった。比較例２，９では第一の正極活物質の混合比が多く、発熱量が多くなり、比較例３，８では第二の正極活物質の混合比が多く、容量が低下した。
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
発光素子チップと、
前記発光素子チップが実装されるリードフレームと、
互いに対向して光軸に直交する方向に延びる一対の側面を有する基部を含み、前記発光素子チップを覆う樹脂封止体と、
前記一対の側面をそれぞれ覆う一対の反射壁を有するリフレクタと、を備え、
前記樹脂封止体の前記一対の側面と前記リフレクタの前記一対の反射壁との間に隙間が形成されている光源装置。
【請求項２】
前記一対の反射壁が、前記一対の側面をそれぞれ平行に覆うように形成され、前記隙間が光軸方向に対して一定である請求項１に記載の光源装置。
【請求項３】
前記隙間が、前記リードフレームの前記発光素子チップが実装される搭載部よりも前方に形成されている請求項１または２に記載の光源装置。
【請求項４】
前記隙間が、前記一対の側面の全域に形成されている請求項１または２に記載の光源装置。
【請求項５】
前記基部の光が出射する側の面である前方面に、前方に突出する突き出し部が形成されている請求項１から４のいずれか１項に記載の光源装置。
【請求項６】
前記突き出し部が、楕円半球状に形成されている請求項５に記載の光源装置。
【請求項７】
前記一対の反射壁に、前記突き出し部を覆う張り出し部がそれぞれ形成されている請求項５または６に記載の光源装置。
【請求項８】
請求項７項に記載の光源装置と、
前記光源装置から出射される光を入光する入光端面、および前記入光端面から入光した光を面状に出射させる出射平面を有する導光板と、を備え、
前記導光板の前記入光端面に、前記張り出し部の外形形状に倣う形状の切り欠き部が、前記導光板の厚さ方向に沿って形成されている面状照明装置。
【手続補正２】
【補正対象書類名】明細書
【補正対象項目名】０００７
【補正方法】変更
【補正の内容】
【０００７】
そこで、上記課題を解決するために、本発明に係る光源装置は、発光素子チップと、前記発光素子チップが実装されるリードフレームと、互いに対向して光軸に直交する方向に延びる一対の側面を有する基部を含み、前記発光素子チップを覆う樹脂封止体と、前記一対の側面をそれぞれ覆う一対の反射壁を有するリフレクタと、を備え、前記樹脂封止体の前記一対の側面と前記リフレクタの前記一対の反射壁との間に隙間が形成されていることを特徴とする。
また、前記一対の反射壁が、前記一対の側面をそれぞれ平行に覆うように形成され、前記隙間が光軸方向に対して一定であることを特徴とする。
この場合、前記隙間が、前記リードフレームの前記発光素子チップが実装される搭載部よりも前方に形成されていてもよいし、前記一対の側面の全域に形成されていてもよい。
【手続補正３】
【補正対象書類名】明細書
【補正対象項目名】００１２
【補正方法】変更
【補正の内容】
【００１２】
また、本発明の好ましい実施の形態においては、前記一対の反射壁に、前記突き出し部を覆う張り出し部がそれぞれ形成されている。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
演算処理を行うＣＰＵと、解候補を格納する記憶部と、解候補の送受信を行う通信部とを備えたサーバを複数備え、
前記サーバを相互に接続するネットワークと、を備えた分散計算装置であって、
前記サーバは、
前記解候補を評価して評価値を決定する解候補評価部と、
前記解候補と解候補の評価値から新たな解候補を生成する解候補生成部と、を有し、
前記解候補評価部は、
前記解候補生成部が生成した解候補を評価して前記評価値を決定し、前記複数のサーバの解候補生成部のいずれかひとつを選択して、当該選択したサーバの解候補生成部に前記解候補と評価値を送信し、
前記解候補生成部は、
前記解候補評価部から受信した前記解候補と評価値から新たな解候補を生成することを特徴とする分散計算装置。
【請求項２】
請求項１に記載の分散計算装置であって、
前記解候補評価部は、
前記複数のサーバの解候補生成部のうちのいずれかひとつをランダムに選択し、当該選択した解候補生成部を前記解候補と評価値の送信先に決定することを特徴とする分散計算装置。
【請求項３】
請求項２に記載の分散計算装置であって、
前記解候補評価部は、
前記解候補と評価値の送信先の解候補生成部を、前記解候補の評価値に基づいてランダムに決定することを特徴とする分散計算装置。
【請求項４】
請求項１に記載の分散計算装置であって、
前記解候補評価部は、
前記複数のサーバの解候補生成部のいずれかひとつを選択して、当該選択した解候補生成部へ前記解候補と評価値を間欠的に送信することを特徴とする分散計算装置。
【請求項５】
請求項４に記載の分散計算装置であって、
前記解候補評価部は、
前記解候補の評価値が所定の基準を満たしたか否かを判定することで、当該解候補を解候補生成部に送信するか否かを決定することを特徴とする分散計算装置。
【請求項６】
請求項１に記載の分散計算装置であって、
前記解候補生成部は、当該サーバの記憶部に前記生成した解候補を書き込み、
前記解候補評価部は、当該サーバの記憶部から前記解候補を読み込むことを特徴とする分散計算装置。
【請求項７】
演算処理を行うＣＰＵと、解候補を格納する記憶部と、前記解候補の送受信を行う通信部とを備えたサーバを複数備えてネットワークで相互に接続し、前記解候補を前記サーバに配分する分散計算装置の制御方法であって、
前記サーバが、前記解候補を評価して評価値を決定する解候補評価ステップと、
前記サーバが、前記解候補と解候補の評価値から新たな解候補を生成する解候補生成ステップと、を含み、
前記解候補評価ステップは、
前記生成した解候補を評価して前記評価値を決定するステップと、
前記複数のサーバのいずれかひとつを選択するステップと、
当該選択したサーバに前記解候補と評価値を送信するステップと、を含み、
前記解候補生成ステップは、
前記サーバから前記解候補と評価値を受信するステップと、
前記受信した解候補と評価値から新たな解候補を生成するステップと、を含むことを特徴とする分散計算装置の制御方法。
【請求項８】
請求項７に記載の分散計算装置の制御方法であって、
前記解候補評価ステップは、
前記複数のサーバのうちのいずれかひとつをランダムに選択し、当該サーバを前記解候補と評価値の送信先に決定することを特徴とする分散計算装置の制御方法。
【請求項９】
請求項８に記載の分散計算装置の制御方法であって、
前記解候補評価ステップは、
前記解候補と評価値の送信先のサーバを、前記解候補の評価値に基づいてランダムに決定することを特徴とする分散計算装置の制御方法。
【請求項１０】
請求項７に記載の分散計算装置の制御方法であって、
前記解候補評価ステップは、
前記複数のサーバのいずれかひとつを選択して、当該選択したサーバへ前記解候補と評価値を間欠的に送信することを特徴とする分散計算装置の制御方法。
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
塵埃を含む旋回気流を導入する導入口を有し、旋回気流により塵埃を集塵する集塵容器、前記集塵容器から排気するための内筒排気口が形成された内筒、及び前記内筒排気口から排気される空気の出口となる開口を有するサイクロン集塵装置を備え、前記導入口に連通し塵埃を含む空気を吸気する接続ホースを、掃除機本体の前方に接続する電気掃除機において、
前記集塵容器は、遠心力で塵埃を分離する分離部及び分離した塵埃を該分離部より下部に収容する集塵部を有し、
前記サイクロン集塵装置は、前記サイクロン集塵装置の軸を、前記集塵容器の集塵部が前記掃除機本体の前方に、分離部が前記掃除機本体の後方になるように、前記掃除機本体の垂直方向に対して斜めに配置されるとともに、前記集塵容器の分離部側から前記内筒排気口を介して前記開口側へと排気することを特徴とする電気掃除機。
【請求項２】
前記サイクロン集塵装置は、前記集塵容器内において、前記分離部と前記集塵部との間を仕切る遮蔽部材をさらに備える請求項１に記載の電気掃除機。
【請求項３】
前記サイクロン集塵装置は、該サイクロン集塵装置の軸を、垂直方向に対して前記開口側に傾斜して前記掃除機本体に配置させることを特徴とする、請求項１又は２に記載の電気掃除機。
【請求項４】
前記開口から排気された空気を、前記掃除機本体側に導くダクトと、
前記開口と前記ダクト部との気密性を保つパッキン部とをさらに備えた請求項１〜３のいずれかに記載の電気掃除機。
【請求項５】
前記サイクロン集塵装置は、前記掃除機本体に着脱可能に配置される、請求項１〜４のいずれかに記載の電気掃除機。
【手続補正２】
【補正対象書類名】明細書
【補正対象項目名】０００６
【補正方法】変更
【補正の内容】
【０００６】
この発明に従った電気掃除機は、塵埃を含む旋回気流を導入する導入口有し、旋回気流により塵埃を集塵する集塵容器、前記集塵容器から排気するための内筒排気口が形成された内筒、及び前記内筒排気口から排気される空気の出口となる開口を有するサイクロン集塵装置を備え、前記導入口に連通し塵埃を含む空気を吸気する接続ホースを、掃除機本体の前方に接続する電気掃除機において、前記集塵容器は、遠心力で塵埃を分離する分離部及び分離した塵埃を該分離部より下部に収容する集塵部を有し、
前記サイクロン集塵装置は、前記サイクロン集塵装置の軸を、前記集塵容器の集塵部が前記掃除機本体の前方に、分離部が前記掃除機本体の後方になるように、前記掃除機本体の垂直方向に対して斜めに配置されるとともに、前記集塵容器の分離部側から前記内筒排気口を介して前記開口側へと排気することを特徴とする。
【手続補正３】
【補正対象書類名】明細書
【補正対象項目名】０００７
【補正方法】変更
【補正の内容】
【０００７】
また、前記サイクロン集塵装置は、前記集塵容器内において、前記分離部と前記集塵部との間を仕切る遮蔽部材をさらに備えるてもよい。
【手続補正４】
【補正対象書類名】明細書
【補正対象項目名】０００８
【補正方法】変更
【補正の内容】
【０００８】
また、前記サイクロン集塵装置は、該サイクロン集塵装置の軸を、垂直方向に対して前記開口側に傾斜して前記掃除機本体に配置させてもよい。
【手続補正５】
【補正対象書類名】明細書
【補正対象項目名】０００９
【補正方法】変更
【補正の内容】
【０００９】
また、電気掃除機は、前記開口から排気された空気を、前記掃除機本体側に導くダクト部と、前記開口と前記ダクト部との気密性を保つパッキン部とをさらに備えてもよい。
【手続補正６】
【補正対象書類名】明細書
【補正対象項目名】００１０
【補正方法】変更
【補正の内容】
【００１０】
さらに、前記サイクロン集塵装置は、前記掃除機本体に着脱可能に設けてもよい。
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
迅速交換式バルーンカテーテルシステムであって、
ルーメンと、前記ルーメンを外囲する壁とを含む外管であって、前記壁には長寸の開口が形成される、該外管と、
近位端部と先端部とを有する内管であって、ガイドワイヤ上を全体的または部分的に通過するのに適し、前記内管の前記近位端部が前記外管の長寸の開口を通過するようにある角度に曲げられており、前記内管の前記ある角度に曲げられた近位端部は、前記長寸の開口内を軸方向に移動可能であり、前記内管の先端チップが前記外管の先端チップを超えて延在する、該内管と、
前記外管の周りに摺動可能に嵌装されたシーリングスリーブであって、前記内管の前記ある角度に曲げられた近位端部が軸方向に動かされたとき、前記シーリングスリーブが前記外管に沿って軸方向に移動できるように、前記シーリングスリーブは前記内管の前記近位端部にシール状態で取り付けられる、該シーリングスリーブと、
近位端が前記外管の前記先端チップの外周面に取り付けられ、遠位端が前記外管の前記先端チップを超えて延在する前記内管の一部の外周面に取り付けられているバルーンと、
前記外管に位置する、前記内管および前記シーリングスリーブを軸方向に押すかまたは引いて動かすための押し引き機構であって、前記バルーンの内部への入り込みを起こして前記バルーン内に空間を形成するべく、前記内管を制御可能な形で近位側に引っ張るように構成された、該押し引き機構と、
前記外管の内表面と前記内管の外周面の間に形成された環状の空間へ、そしてそこから前記バルーンのルーメンへの膨張流体の導入、及び前記環状の空間から、そして前記バルーンのルーメンからの膨張流体の除去のための流体ポートとを含むことを特徴とする迅速交換式カテーテルシステム。
【請求項２】
前記押し引き機構は１若しくは複数のワイヤを含み、
前記ワイヤの遠位端は、前記内管に取り付けられており、前記ワイヤの基端が前記外管の近位端を超えて延在していることを特徴とする請求項１に記載の迅速交換式カテーテルシステム。
【請求項３】
前記シーリングスリーブが、
前記外管のルーメン内にシールを与えた状態で摺動可能に配置された内側シーリングスリーブであって、前記内側シーリングスリーブは、前記内管の前記ある角度に曲げられた近位端部によって貫通される壁を有し、前記内管の前記ある角度に曲げられた近位端部にシールを与えた状態で取り付けられて、前記内管が前記外管内を軸方向に移動するとき、前記内側シーリングスリーブが前記外管のルーメン内をシールを与えた状態で軸方向に摺動して、前記長寸の開口から前記膨張流体が出るのを防止するようになっている、該内側シーリングスリーブと、
前記外管の前記長寸の開口をシールするべく前記外管の壁の上にシールを与えた状態で摺動可能に取り付けられた外側シーリングスリーブであって、前記外側シーリングスリーブは、前記内管の前記ある角度に曲げられた近位端部によって貫通される壁を有し、前記内管の前記ある角度に曲げられた近位端部にシールを与えた状態で取り付けられて、前記内管が前記外管内を軸方向に移動するとき、前記外側シーリングスリーブが前記外管の壁の外周面の上をシールを与えた状態で軸方向に摺動して、前記長寸の開口から前記膨張流体が出るのを防止するようになっている、該外側シーリングスリーブと
からなる群から選択されたものであることを特徴とする請求項１若しくは２に記載の迅速交換式カテーテルシステム。
【請求項４】
迅速交換式カテーテルシステムは、その動作の各段階における内部の圧力が０ないし２５気圧の範囲で動作可能であることを特徴とする請求項１乃至３のいずれかに記載の迅速交換式カテーテルシステム。
【請求項５】
前記外管のルーメンと連通した圧力調節機構をさらに含み、
前記圧力調節機構は、前記内管が前記外管に対して軸方向近位側に移動して、前記バルーンの内部への入り込みが生じたとき、前記外管のルーメン内及び前記バルーンの内部における過剰な圧力を低下させることを特徴とする請求項１乃至４のいずれかに記載の迅速交換式カテーテルシステム。
【請求項６】
前記圧力調節機構は、
前記外管の前記近位端内に摺動可能に配置されたプランジャであって、前記プランジャは押し引き機構に接続され、それによって、前記押し引き機構を近位側に引いたときに前記プランジャが近位側に摺動させられ、それによって前記外管内の体積を増加させて、前記バルーンの内部への入り込みが生じたときに前記バルーンから排出される膨張流体を収容できるようにする、該プランジャと、
前記外管のルーメンに連通した放出弁であって、前記カテーテルシステム内部の圧力がしきい値を超えているときは常に、前記外管のルーメン内の前記膨張流体を放出させて圧力を低減させる、該放出弁と、
前記プランジャと前記放出弁の両方の組み合わせとから選択されたものであることを特徴とする請求項５に記載の迅速交換式カテーテルシステム。
【請求項７】
前記放出弁の前記しきい値の圧力は、５乃至２０気圧の範囲にあることを特徴とする請求項６に記載の迅速交換式カテーテルシステム。
【請求項８】
前記バルーンの膨張時の形状は、前記内管の科動物文が前記外管に対して近位側に移動したとき、前記バルーンの遠位部および／または近位部が内部への入り込みを生ずるように導くことができる形状であることを特徴とする請求項１乃至７のいずれかに記載の迅速交換式カテーテルシステム。
【請求項９】
前記バルーンは、膨張時の形状として、遠位端が丸み加工されたテーパー形状を有することを特徴とする請求項１乃至８のいずれかに記載の迅速交換式カテーテルシステム。
【請求項１０】
前記内管及び前記外管は、著しい変形を受けることなく２乃至２０ニュートンの範囲で軸方向に向けられた力に耐える能力を有することを特徴とする請求項１乃至９に記載の迅速交換式カテーテルシステム。
【請求項１１】
前記内管及び前記シーリングスリーブの前記外管に対する摺動を促進する潤滑剤を備えることを特徴とする請求項１乃至１０に記載の迅速交換式カテーテルシステム。
【請求項１２】
前記バルーンは、１２〜２０気圧の範囲内の破壊圧力を有することを特徴とする請求項１乃至１１に記載の迅速交換式カテーテルシステム。
【請求項１３】
前記バルーン上にステントが設けられていることを特徴とする請求項１乃至１２に記載の迅速交換式カテーテルシステム。
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
白色光を発する白色光光源と、
青色の所定の波長範囲の第１狭帯域光を発する第１狭帯域光光源と、
青色、緑色および赤色のカラーフィルタを受光面に有し、狭帯域光観察モードの場合に、被検体に所定の発光比率で照射される前記白色光および前記第１狭帯域光の該被検体からの反射光を受光して狭帯域光画像を撮像する撮像素子と、
前記狭帯域光画像の青色の画像信号Ｂを強調した強調輝度信号を算出し、前記狭帯域光画像の緑色の画像信号Ｇおよび赤色の画像信号Ｒから粘膜中の中深層の血液濃度を表するヘモグロビンインデックスを算出し、該ヘモグロビンインデックスの値に応じて赤味を強調した強調色差信号を算出し、前記強調輝度信号および強調色差信号から表示用の内視鏡画像の画像信号を生成する画像処理部と、
前記表示用の内視鏡画像の画像信号に対応する内視鏡画像を表示する表示装置とを備えていることを特徴とする内視鏡診断装置。
【請求項２】
前記画像処理部は、前記青色の画像信号Ｂと前記緑色の画像信号Ｇとを所定の比率で重み付けして前記強調輝度信号を算出するものである請求項１に記載の内視鏡診断装置。
【請求項３】
前記画像処理部は、前記緑色の画像信号Ｇおよび赤色の画像信号Ｒからｌｎ（Ｒ／Ｇ）で前記ヘモグロビンインデックスを算出するものである請求項１または２に記載の内視鏡診断装置。
【請求項４】
前記画像処理部は、前記ヘモグロビンインデックスの値が大きくなるに従って、赤色の色差信号の値が大きく、かつ、青色の色差信号の値が小さくなる変換テーブルを用いて前記強調色差信号を算出するものである請求項１〜３のいずれかに記載の内視鏡診断装置。
【請求項５】
前記画像処理部は、前記強調輝度信号と前記青色の画像信号Ｂとの差である青色の色差信号、および、前記強調輝度信号と前記赤色の画像信号Ｒとの差である赤色の色差信号を算出し、前記ヘモグロビンインデックスの値が大きくなるに従って、赤色の補正値が大きく、かつ、青色の補正値が小さくなる変換テーブルを用いて、前記青色の色差信号と前記青色の補正値および前記赤色の色差信号と前記赤色の補正値とをそれぞれ加算して前記強調色差信号を算出するものである請求項１〜３のいずれかに記載の内視鏡診断装置。
【請求項６】
前記第１狭帯域光は、３９５〜４５５ｎｍ内の所定の波長範囲の光である請求項１〜５のいずれかに記載の内視鏡診断装置。
【請求項７】
前記第１狭帯域光は、４０５ｎｍ±１０ｎｍの波長範囲の光である請求項６に記載の内視鏡診断装置。
【請求項８】
前記白色光光源は、青色の所定の波長範囲の第２狭帯域光を発する第２狭帯域光光源と、該第２狭帯域光が照射されることによって励起発光光を発し、該第２狭帯域光と該励起発光光とで疑似白色光を生成する蛍光体とを有する請求項１〜５のいずれかに記載の内視鏡診断装置。
【請求項９】
前記第２狭帯域光は、４４５ｎｍ±１０ｎｍの波長範囲の光である請求項８に記載の内視鏡診断装置。
【請求項１０】
前記第１狭帯域光および前記第２狭帯域光は、４４５ｎｍ±１０ｎｍの波長範囲の光であり、
前記白色光光源は、前記第１狭帯域光光源を前記第２狭帯域光光源として使用するものである請求項８または９に記載の内視鏡診断装置。
【請求項１１】
白色光を発する白色光光源と、
前記白色光を、青色の所定の波長範囲の狭帯域光、緑色の光および赤色の光に分離するカラーフィルタと、
狭帯域光観察モードの場合に、被検体に面順次方式で照射される、前記青色の所定の波長範囲の狭帯域光、緑色の光および赤色の光の該被検体からの反射光を受光して青色の狭帯域光画像、緑色の通常光画像および赤色の通常光画像を順次撮像する撮像素子と、
前記青色の狭帯域光画像の画像信号Ｂを強調した強調輝度信号Ｙを算出し、前記緑色の通常光画像の画像信号Ｇおよび前記赤色の通常光画像の画像信号Ｒから粘膜中の中深層の血液濃度を表するヘモグロビンインデックスを算出し、該ヘモグロビンインデックスの値に応じて赤味を強調した強調色差信号を算出し、前記強調輝度信号および強調色差信号から表示用の内視鏡画像の画像信号を生成する画像処理部と、
前記表示用の内視鏡画像の画像信号に対応する内視鏡画像を表示する表示装置とを備えていることを特徴とする内視鏡診断装置。
【請求項１２】
前記画像処理部は、前記青色の狭帯域光画像の画像信号Ｂと前記緑色の通常光画像の画像信号Ｇとを所定の比率で重み付けして前記強調輝度信号を算出するものである請求項１１に記載の内視鏡診断装置。
【請求項１３】
前記画像処理部は、前記緑色の通常光画像の画像信号Ｇおよび赤色の通常光画像の画像信号Ｒからｌｎ（Ｒ／Ｇ）で前記ヘモグロビンインデックスを算出するものである請求項１１または１２に記載の内視鏡診断装置。
【請求項１４】
前記画像処理部は、前記ヘモグロビンインデックスの値が大きくなるに従って、赤色の色差信号の値が大きく、かつ、青色の色差信号の値が小さくなる変換テーブルを用いて前記強調色差信号を算出するものである請求項１１〜１３のいずれかに記載の内視鏡診断装置。
【請求項１５】
前記画像処理部は、前記強調輝度信号と前記青色の通常光画像の画像信号Ｂとの差である青色の色差信号、および、前記強調輝度信号と前記赤色の通常光画像の画像信号Ｒとの差である赤色の色差信号を算出し、前記ヘモグロビンインデックスの値が大きくなるに従って、赤色の補正値が大きく、かつ、青色の補正値が小さくなる変換テーブルを用いて、前記青色の色差信号と前記青色の補正値および前記赤色の色差信号と前記赤色の補正値とをそれぞれ加算して前記強調色差信号を算出するものである請求項１１〜１３のいずれかに記載の内視鏡診断装置。
【請求項１６】
前記白色光を前記青色の狭帯域光に分離するカラーフィルタは、前記白色光から、４１５ｎｍ±１０ｎｍの波長範囲の狭帯域光を分離するものである請求項１１〜１５のいずれかに記載の内視鏡診断装置。
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
被験眼を断層撮影した複数の断層像からなる断層像群を取得する画像取得手段と、
前記画像取得手段により取得された前記断層像群のうち基準となる断層面を示す基準断層面を設定する基準断層面設定手段と、
前記画像取得手段により取得された前記断層像群に基づき、前記基準断層面に対して予め定められた位置関係になる複数の断層像を作成する画像作成手段と、
前記画像作成手段により作成された前記複数の断層像からひとつの断層像を選択する第一の断層像選択手段と、
前記第一の断層像選択手段により選択された前記断層像と前記基準断層面に対して面対称となる位置の断層像を、前記画像作成手段により作成された前記複数の断層像から選択する第二の断層像選択手段と、
前記第一の断層像選択手段によって選択された断層像と、前記第二の断層像選択手段によって選択された断層像と、を表示することが可能な表示手段と、
を備えることを特徴とする画像処理装置。
【請求項２】
断層像に含まれる各層の境界を抽出し、前記各層の層構造を検出する特徴抽出手段と、
前記画像作成手段によって作成された前記複数の断層像において、前記層構造の分布の差分を計測する計測手段と、を更に備え、
前記表示手段は、前記第一の断層像選択手段によって選択された前記断層像と、前記第二の断層像選択手段によって選択された前記断層像と、前記計測手段による前記層構造の分布の差分の計測結果と、のうち少なくとも一つを表示することを特徴とする請求項１に記載の画像処理装置。
【請求項３】
被験眼を断層撮影した複数の断層像からなる断層像群を取得する画像取得手段と、
前記画像取得手段により取得された前記断層像群のうち基準となる断層面を示す基準断層面を設定する基準断層面設定手段と、
前記画像取得手段により取得された前記断層像群に基づき、前記基準断層面に対して予め定められた位置関係になる断層像を作成する第一の画像作成手段と、
前記第一の画像作成手段により作成された前記断層像と前記基準断層面に対して面対称となる位置の断層像を、前記画像取得手段により取得された前記断層像群から作成する第二の画像作成手段と、
前記第一の画像作成手段よって作成された断層像と、前記第二の画像作成手段によって選択された断層像と、を表示することが可能な表示手段と、
を備えることを特徴とする画像処理装置。
【請求項４】
断層像に含まれる各層の境界を抽出し、前記各層の層構造を検出する特徴抽出手段と、
前記第一の画像作成手段によって作成された前記断層像と、前記第二の画像作成手段によって作成された前記断層像とにおいて、前記層構造の分布の差分を計測する計測手段と、を更に備え、
前記表示手段は、前記第一の画像作成手段によって作成された前記断層像と、前記第二の画像作成手段によって選択された前記断層像と、前記計測手段による前記層構造の分布の差分の計測結果と、のうち少なくとも一つを表示することを特徴とする請求項３に記載の画像処理装置。
【請求項５】
画像取得手段が、被験眼を断層撮影した複数の断層像からなる断層像群を取得する画像取得工程と、
基準断層面設定手段が、前記画像取得工程により取得された前記断層像群のうち基準となる断層面を示す基準断層面を設定する基準断層面設定工程と、
画像作成手段が、前記画像取得工程により取得された前記断層像群に基づき、前記基準断層面に対して予め定められた位置関係になる複数の断層像を作成する画像作成工程と、
第一の断層像選択手段が、前記画像作成工程により作成された前記複数の断層像からひとつの断層像を選択する第一の断層像選択工程と、
第二の断層像選択手段が、前記第一の断層像選択工程により選択された前記断層像と前記基準断層面に対して面対称となる位置の断層像を、前記画像作成工程により作成された前記複数の断層像から選択する第二の断層像選択工程と、
表示手段が、前記第一の断層像選択工程によって選択された断層像と、前記第二の断層像選択工程によって選択された断層像と、を表示する表示工程と、
を有することを特徴とする画像処理方法。
【請求項６】
画像取得手段が、被験眼を断層撮影した複数の断層像からなる断層像群を取得する画像取得工程と、
基準断層面設定手段が、前記画像取得工程により取得された前記断層像群のうち基準となる断層面を示す基準断層面を設定する基準断層面設定工程と、
第一の画像作成手段が、前記画像取得工程により取得された前記断層像群に基づき、前記基準断層面に対して予め定められた位置関係になる断層像を作成する第一の画像作成工程と、
第二の画像作成手段が、前記第一の画像作成工程により作成された前記断層像と前記基準断層面に対して面対称となる位置の断層像を、前記画像取得工程により取得された前記断層像群から作成する第二の画像作成工程と、
表示手段が、前記第一の画像作成工程よって作成された断層像と、前記第二の画像作成工程によって選択された断層像と、を表示する表示工程と、
を有することを特徴とする画像処理方法。
【請求項７】
請求項５または６に記載の画像処理方法の各工程をコンピュータに実行させるためのプログラム。
【手続補正２】
【補正対象書類名】明細書
【補正対象項目名】０００６
【補正方法】変更
【補正の内容】
【０００６】
上記の目的を達成するための、本発明にかかる画像処理装置は、被験眼を断層撮影した複数の断層像からなる断層像群を取得する画像取得手段と、
前記画像取得手段により取得された前記断層像群のうち基準となる断層面を示す基準断層面を設定する基準断層面設定手段と、
前記画像取得手段により取得された前記断層像群に基づき、前記基準断層面に対して予め定められた位置関係になる複数の断層像を作成する画像作成手段と、
前記画像作成手段により作成された前記複数の断層像からひとつの断層像を選択する第一の断層像選択手段と、
前記第一の断層像選択手段により選択された前記断層像と前記基準断層面に対して面対称となる位置の断層像を、前記画像作成手段により作成された前記複数の断層像から選択する第二の断層像選択手段と、
前記第一の断層像選択手段によって選択された断層像と、前記第二の断層像選択手段によって選択された断層像と、を表示することが可能な表示手段と、
を備えることを特徴とする。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後、可変表示の開始を許容する開始条件が成立したことにもとづいて各々を識別可能な複数種類の識別情報の可変表示を開始し、表示結果を導出表示する可変表示部を備え、前記可変表示部において導出表示された表示結果があらかじめ定められた特定表示結果となったことにもとづいて特定遊技状態となる遊技機において、
遊技の進行を制御する遊技制御手段と、
演出の実行を制御する演出制御手段と、を備え、
前記遊技制御手段は、
前記始動領域を遊技媒体が通過したことにもとづいて、前記特定遊技状態とするか否かを決定するための特定遊技状態決定用数値データを抽出する数値データ抽出手段と、
前記始動領域を遊技媒体が通過したにもかかわらず前記開始条件が成立していない前記識別情報の可変表示について、所定の上限数を限度に、前記数値データ抽出手段により抽出された前記特定遊技状態決定用数値データを保留記憶として記憶する保留記憶手段と、
前記開始条件が成立したことにもとづいて、前記保留記憶手段に記憶された前記特定遊技状態決定用数値データを用いて、前記特定遊技状態とするか否かを前記識別情報の可変表示の表示結果が導出表示される以前に決定する開始時決定手段と、
前記始動領域を遊技媒体が通過したときに、該始動領域を遊技媒体が通過したことにもとづいて、前記数値データ抽出手段により抽出された前記特定遊技状態決定用数値データを用いて、前記特定遊技状態となるか否かを判定する始動時判定手段と、を含み、
前記演出制御手段は、
前記開始時決定手段による決定結果にもとづいて、前記識別情報の可変表示に対応した演出を実行させる制御を行う演出実行制御手段と、
前記始動時判定手段による判定の対象となった前記識別情報の可変表示が実行される以前に事前予告演出を実行する事前予告演出実行手段と、を含み、
前記事前予告演出実行手段は、
前記特定遊技状態に制御されているときに、前記始動時判定手段による判定結果にもとづいて、前記保留記憶手段が記憶する所定数分の保留記憶のいずれかに対する前記事前予告演出として特定遊技状態中予告演出を実行する特定遊技状態中予告演出実行手段と、
前記特定遊技状態に制御されていないときに、前記始動時判定手段による判定結果にもとづいて、当該始動時判定手段による判定の対象となった前記識別情報の可変表示が実行される以前に開始される前記識別情報の可変表示において、前記事前予告演出として可変表示中予告演出を実行する可変表示中予告演出実行手段と、を含み、
前記演出制御手段は、さらに、前記特定遊技状態を終了した後、前記所定数分の前記識別情報の可変表示を終了するまでの間、前記可変表示中予告演出実行手段による前記可変表示中予告演出の実行を禁止する可変表示中予告演出禁止手段を含む
ことを特徴とする遊技機。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後、可変表示の開始を許容する開始条件が成立したことにもとづいて各々を識別可能な複数種類の識別情報の可変表示を開始し、表示結果を導出表示する可変表示部を備え、前記可変表示部において導出表示された表示結果があらかじめ定められた特定表示結果となったことにもとづいて特定遊技状態となる遊技機において、
遊技の進行を制御する遊技制御手段と、
前記遊技制御手段からのコマンドにもとづいて演出の実行を制御する演出制御手段と、を備え、
前記遊技制御手段は、
前記始動領域を遊技媒体が通過したことにもとづいて、少なくとも、前記特定遊技状態とするか否かを決定するための特定遊技状態決定用数値データと、前記識別情報の可変表示に対応した演出の演出態様を決定するための演出態様決定用数値データとを抽出する数値データ抽出手段と、
前記始動領域を遊技媒体が通過したにもかかわらず前記開始条件が成立していない前記識別情報の可変表示について、所定の上限数を限度に、前記数値データ抽出手段により抽出された前記特定遊技状態決定用数値データおよび前記演出態様決定用数値データを保留記憶として記憶する保留記憶手段と、
前記開始条件が成立したことにもとづいて、前記保留記憶手段に記憶された前記特定遊技状態決定用数値データを用いて、前記特定遊技状態とするか否かを前記識別情報の可変表示の表示結果が導出表示される以前に決定する開始時特定遊技状態決定手段と、
前記開始条件が成立したことにもとづいて、前記保留記憶手段に記憶された前記演出態様決定用数値データを用いて、前記識別情報の可変表示に対応した演出の演出態様をいずれの態様とするかを、前記識別情報の可変表示の表示結果が導出表示される以前に決定する開始時演出態様決定手段と、
前記開始時特定遊技状態決定手段の決定結果を特定可能な開始時特定遊技状態決定結果コマンドと、前記開始時演出態様決定手段の決定結果を特定可能な開始時演出態様決定結果コマンドとを送信する開始時コマンド送信手段と、
前記始動領域を遊技媒体が通過したときに、前記数値データ抽出手段により抽出された前記特定遊技状態決定用数値データを用いて、前記特定遊技状態となるか否かを判定する始動時特定遊技状態判定手段と、
前記始動領域を遊技媒体が通過したときに、前記数値データ抽出手段により抽出された前記演出態様決定用数値データを用いて、前記識別情報の可変表示に対応した演出の演出態様がいずれの態様となるかを判定する始動時演出態様判定手段と、
前記始動時特定遊技状態判定手段の判定結果を特定可能な始動時特定遊技状態判定結果コマンドと、前記始動時演出態様判定手段の判定結果を特定可能な始動時演出態様判定結果コマンドとを送信する始動時コマンド送信手段と、を含み、
前記演出制御手段は、
前記開始時コマンド送信手段により送信された前記開始時特定遊技状態決定結果コマンドと前記開始時演出態様決定結果コマンドとにもとづいて、前記識別情報の可変表示に対応した演出を実行させる制御を行う演出実行制御手段と、
前記始動時コマンド送信手段により送信された前記始動時特定遊技状態判定結果コマンドと前記始動時演出態様判定結果コマンドとにもとづいて、前記始動時特定遊技状態判定手段および前記始動時演出態様判定手段による判定の対象となった前記識別情報の可変表示が実行される以前に事前予告演出を実行する事前予告演出実行手段と、を含み、
前記事前予告演出実行手段は、
前記特定遊技状態に制御されているときに、前記始動時特定遊技状態判定結果コマンドにもとづいて、前記事前予告演出を実行する特定遊技状態中予告演出実行手段と、
前記特定遊技状態に制御されていないときに、前記始動時演出態様判定結果コマンドにもとづいて、前記始動時演出態様判定手段による判定の対象となった前記識別情報の可変表示が実行される以前に開始される前記識別情報の可変表示において、前記事前予告演出を実行する可変表示中予告演出実行手段と、を含む
ことを特徴とする遊技機。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後、可変表示の開始を許容する開始条件が成立したことにもとづいて各々を識別可能な複数種類の識別情報の可変表示を開始し、表示結果を導出表示する可変表示部を備え、前記可変表示部において導出表示された表示結果があらかじめ定められた特定表示結果となったことにもとづいて特定遊技状態となる遊技機において、
遊技の進行を制御する遊技制御手段と、
演出の実行を制御する演出制御手段と、を備え、
前記遊技制御手段は、
前記始動領域を遊技媒体が通過したことにもとづいて、少なくとも、前記特定遊技状態とするか否かを決定するための特定遊技状態決定用数値データを抽出する数値データ抽出手段と、
前記始動領域を遊技媒体が通過したにもかかわらず前記開始条件が成立していない前記識別情報の可変表示について、所定の上限数を限度に、前記数値データ抽出手段により抽出された前記特定遊技状態決定用数値データを保留記憶として記憶する保留記憶手段と、
前記開始条件が成立したことにもとづいて、前記保留記憶手段に記憶された前記特定遊技状態決定用数値データを用いて、前記特定遊技状態とするか否かを前記識別情報の可変表示の表示結果が導出表示される以前に決定する開始時決定手段と、
前記始動領域を遊技媒体が通過したときに、該始動領域を遊技媒体が通過したことにもとづいて、前記数値データ抽出手段により抽出された前記特定遊技状態決定用数値データを用いて、前記特定遊技状態となるか否かを判定する始動時判定手段と、を含み、
前記演出制御手段は、
前記開始時決定手段による決定結果にもとづいて、前記識別情報の可変表示に対応した演出を実行させる制御を行う演出実行制御手段と、
前記特定遊技状態に制御されているときに、前記始動時判定手段による判定結果にもとづいて、特定遊技状態中予告演出を実行するか否かを決定する特定遊技状態中予告演出決定手段と、
前記特定遊技状態中予告演出決定手段によって前記特定遊技状態中予告演出を実行すると決定されたことにもとづいて、前記特定遊技状態中に前記特定遊技状態中予告演出を実行する特定遊技状態中予告演出実行手段と、を含み、
前記始動時判定手段は、前記保留記憶手段に記憶された前記特定遊技状態決定用数値データにもとづいて前記特定遊技状態となると判定したときに、所定の遊技価値を付与する第１特定遊技状態となるか、該第１特定遊技状態よりも高い遊技価値を付与する第２特定遊技状態となるか否かも判定し、
前記特定遊技状態中予告演出決定手段は、前記保留記憶手段が記憶する前記特定遊技状態決定用数値データのうち前記第１特定遊技状態となると判定されたものを除外して、前記特定遊技状態中予告演出を実行すると決定する
ことを特徴とする遊技機。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後、可変表示の開始を許容する開始条件が成立したことにもとづいて各々を識別可能な複数種類の識別情報の可変表示を開始し、表示結果を導出表示する可変表示部を備え、前記可変表示部において導出表示された表示結果があらかじめ定められた特定表示結果となったことにもとづいて特定遊技状態に移行させるとともに、所定の移行条件が成立したときに前記特定遊技状態が終了した後に通常状態であるときに比べて識別情報の可変表示の表示結果が前記特定表示結果となりやすい特別遊技状態に移行させる遊技機において、
遊技の進行を制御する遊技制御手段と、
演出の実行を制御する演出制御手段と、を備え、
前記遊技制御手段は、
前記始動領域を遊技媒体が通過したことにもとづいて、前記特定遊技状態とするか否かを決定するための特定遊技状態決定用数値データを抽出する数値データ抽出手段と、
前記始動領域を遊技媒体が通過したにもかかわらず前記開始条件が成立していない前記識別情報の可変表示について、所定の上限数を限度に、前記数値データ抽出手段により抽出された前記特定遊技状態決定用数値データを保留記憶として記憶する保留記憶手段と、
前記開始条件が成立したことにもとづいて、前記保留記憶手段に記憶された前記特定遊技状態決定用数値データを用いて、前記特定遊技状態とするか否かを前記識別情報の可変表示の表示結果が導出表示される以前に決定する開始時決定手段と、
前記始動領域を遊技媒体が通過したときに、該始動領域を遊技媒体が通過したことにもとづいて、前記数値データ抽出手段により抽出された前記特定遊技状態決定用数値データを用いて、前記特定遊技状態となるか否かを判定する始動時判定手段と、を含み、
前記演出制御手段は、
前記開始時決定手段による決定結果にもとづいて、前記識別情報の可変表示に対応した演出を実行させる制御を行う演出実行制御手段と、
前記特定遊技状態に制御されていないときに、前記始動時判定手段による判定結果にもとづいて、前記始動時判定手段による判定の対象となった前記識別情報の可変表示が実行される以前に開始される前記識別情報の可変表示において、可変表示中予告演出を実行する可変表示中予告演出実行手段と、
前記識別情報の可変表示に対応した演出を選択する演出選択手段と、を含み、
前記演出選択手段は、前記開始時決定手段によって前記特定遊技状態とすると決定されているときには前記識別情報の可変表示に対応した演出として特定の演出を高い割合で選択するとともに、前記特別遊技状態を終了する前の所定回の前記識別情報の可変表示において実行される前記識別情報の可変表示に対応した演出として前記特定の演出を高い割合で選択し、
前記演出制御手段は、さらに、前記所定回の前記識別情報の可変表示が実行される特定回数前の前記識別情報の可変表示から前記所定回の前記識別情報の可変表示が終了するまでの間、前記可変表示中予告演出実行手段による前記可変表示中予告演出の実行を禁止する可変表示中予告演出禁止手段を含む
ことを特徴とする遊技機。
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球が獲得可能とされる大当たり遊技を行う大当たり遊技実行手段と、
前記乱数取得手段により乱数が取得された場合、該取得された乱数に応じた前記大当たり判定手段による判定処理をその実行条件が成立するまで待機させて保留する遊技保留手段と、
前記大当たり判定手段による判定処理の実行条件が成立することによって前記遊技保留手段により保留の状態とされている判定処理が消化されるとき、当該判定処理に対応する変動パターンに応じた演出時間分だけ、当該判定処理についての演出表示にかかる制御を実行可能な当該判定演出制御手段と、
前記大当たり判定手段による判定処理の実行条件が成立することによって前記遊技保留手段により保留の状態とされている判定処理が消化されるとき、当該判定処理に対応する変動パターンに応じた演出時間分だけ、当該判定処理、および、当該判定処理よりも後に消化される事後の判定処理についての演出表示にかかる制御を実行可能な両時判定演出制御手段と
を備え、
前記両時判定演出制御手段は、
前記遊技保留手段により消化される判定処理の結果がハズレであり、且つ当該判定処理に対して特定の変動パターンが割り当てられている場合、所定の演出条件が満たされたことに基づいて、当該判定処理に対して割り当てられている変動パターンに応じた演出時間のうちの中途の段階であるにもかかわらず、その判定結果として大当たりが得られないことを遊技者が認識可能とされる表示態様を出現させることで、それ以降の残りの演出時間を、未だ消化の対象とされることなく保留の状態が継続されることとなる事後の判定処理についての演出表示に要する事後演出用期間として創出する事後演出期間創出手段、及び
前記事後演出期間創出手段により創出された事後演出用期間においては、前記遊技保留手段により消化された判定処理についての演出時間中であるにもかかわらず、当該判定処理の結果として大当たりが得られないことが遊技者に認識可能とされているもとで、前記事後の判定処理についての大当たりの当選にかかる期待度が示される事前演出の実行にかかる制御を実行可能な事後演出前延長制御手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００９
【補正方法】変更
【補正の内容】
【０００９】
手段１：始動口への遊技球の入球に基づいて乱数を取得する乱数取得手段と、前記乱数取得手段により取得される乱数のうちの当落判定用乱数がハズレ値と大当たり値とのいずれかに分類判別可能とされており、該分類判別可能とされる大当たり値の前記ハズレ値に対する分類割合によって大当たりの当選確率を決定付ける当落確率決定付手段と、前記当落確率決定付手段に基づいて前記当落判定用乱数を前記ハズレ値と前記大当たり値とのいずれかに分類判別する大当たり抽選が行われるとともに、前記大当たり値に分類判別されたときには遊技者に特典を付与する大当たり遊技がさらに行われる入賞始動遊技を実行可能な遊技制御手段と、前記乱数取得手段により乱数が取得された場合、該取得された乱数のうちの当落判定用乱数に応じた前記遊技制御手段による入賞始動遊技をその実行条件が成立するまで待機させて保留する遊技保留手段と、前記入賞始動遊技についての保留状況を遊技者が認識可能となるように、それら保留の状態とされている入賞始動遊技の別に対応した保留表示がそれぞれ所定の表示部にて現れるかたちで当該保留表示にかかる表示制御を行う表示制御手段と、前記入賞始動遊技が保留の状態とされている間にこれに供される乱数に基づいて、当該入賞始動遊技における大当たり抽選を未実行の状態に維持しつつも該抽選にかかる期待度を先行判定する期待度先行判定手段と、を備え、前記表示制御手段は、前記入賞始動遊技の実行条件が成立することによって前記遊技保留手段により保留の状態とされている入賞始動遊技が消化されるとき、該消化される現在の入賞始動遊技についての表示図柄にかかる演出表示を所定の図柄演出部にて行うにあたり、前記乱数取得手段により取得された乱数のうちの変動時間決定用乱数により定められる当該入賞始動遊技についての演出表示に要する演出期間のうちの中途において前記表示図柄を停止表示態様にて表示させることで、それ以降の残りの演出期間については、未だ消化の対象とされることなく保留の状態が継続されることとなる事後の入賞始動遊技についての演出表示に要する事後演出用期間として創出する事後演出期間創出手段を有することで、前記事後演出期間創出手段により創出された事後演出用期間においては、前記変動時間決定用乱数により定められる現在の入賞始動遊技についての演出期間中であるにもかかわらず、現在の入賞始動遊技についての演出表示との間での演出競合を排除しつつ前記期待度先行判定手段による先行判定の結果に応じた前記事後の入賞始動遊技についての期待度演出が現れるようにしたことを特徴とする遊技機。